(57)【要約】      （修正有）【課題】パネル部材の膨張等の変形に対応して外観デザインを良好な状態に保つことができるパネル構造体を提供する。【解決手段】パネル構造体は、複数の支柱２と、支柱２の側面に取り付けられて上下方向に所定幅の挿入溝が形成された横枠部材３と、支柱２の間において横枠部材３の挿入溝に両側を挿入して上下方向に配列されるとともに長手方向の両側に側板部が形成された複数のパネル４と、最も下位のパネル４の下側の側板部に取り付けられて両側を横枠部材３に固定された下枠部材５と、最も上位のパネル４の上側の側板部に取り付けられて両側を横枠部材３に固定された上枠部材６と、横枠部材３の内側に挿入されてパネル４の間に取り付けられてパネル４の間に所定間隔の隙間を形成するスペーサ７とを備えている。【選択図】図２
2013234458.tif 000002
【特許請求の範囲】
【請求項１】
複数の支柱と、前記支柱の側面に取り付けられるとともに上下方向に所定幅の挿入溝が形成された横枠部材と、前記支柱の間において前記横枠部材の前記挿入溝に両側を挿入して上下方向に配列される複数のパネルと、最も下位の前記パネルの下側に取り付けられるとともに両側を前記横枠部材に固定された下枠部材と、最も上位の前記パネルの上側に取り付けられるとともに両側を前記横枠部材に固定された上枠部材と、前記横枠部材の内側に挿入されて前記パネルの間に取り付けられて前記パネルの間に所定間隔の隙間を形成するスペーサとを備え、前記パネルは、前記横枠部材に左右方向に移動可能に保持されており、前記スペーサは、前記横枠部材に上下方向に移動可能に取り付けられているパネル構造体。
【請求項２】
前記スペーサは、直方体状の外形で４つの側辺部からなる枠体と、前記枠体の内側に一体形成された補強部と、前記枠体及び前記補強部の端面に形成された嵌合突起部及び嵌合溝部とを備えている請求項１に記載のパネル構造体。
【請求項３】
前記横枠部材は、前記挿入溝に対向する側部の内側に所定間隔を空けて一対の凸条部が突設されており、前記凸条部の対向する先端の間に所定幅の間隔が形成されている請求項１又は２に記載のパネル構造体。
【請求項４】
前記パネルは、薄板状の本体部分の長手方向に沿う両側端に側板部が形成されている請求項１から３のいずれかに記載のパネル構造体。
【発明の詳細な説明】
【技術分野】
【０００１】
本発明は、主に塀、仕切り壁等の外構用のパネル構造体に関する。
【背景技術】
【０００２】
従来より建物の境界等に塀、仕切り壁、柵、フェンス等の外構を施工することが行われている。こうした外構を施工する場合、目隠し、通風、遮光、遮音といった機能を持たせるために様々な構造体が実用化されている。また、施工期間を短縮化するために、構造体を組み立てやすいパネル等の部品で構成し、予め工場で構造体の部品を製造して施工現場で組み立てるパネル構造体が提案されている。
【０００３】
例えば、特許文献１では、基礎の左右部に、それぞれ長手方向に形成された溝部を向かい合わせて配置される一対の支柱と、一対の支柱の間に、端部をそれぞれ各支柱の溝部に嵌入して横向きに配置される羽板と、支柱の溝部内に配置されて隣り合う羽板間に介在させて羽板間の隙間を一定に保持するためのスペーサとを有するフェンスが記載されている。また、特許文献２では、パネル本体の周囲を枠材で嵌入保持した複数のパネルを支柱間に縦方向に連設した塀が記載されている。
【先行技術文献】
【特許文献】
【０００４】
【特許文献１】特開２００１−２９５５１０号公報
【特許文献２】特開２００９−１２１１７６号公報
【発明の概要】
【発明が解決しようとする課題】
【０００５】
上述した先行文献では、支柱の間にパネルを架設するように取り付けているが、こうした構造では、パネルが気温の上昇により膨張して長手方向に拡がるように変形すると、支柱に圧接して湾曲状態に変形するようになる。例えば、特許文献１では、羽板にスペーサがネジ止めされて支柱内に嵌め込まれており、羽板が膨張すると、長手方向の両端部が支柱に圧接して中央部分が湾曲状態に変形するようになる。また、特許文献２では、パネル本体を嵌入保持する枠体が支柱に固定されているため、パネル本体が膨張した場合に撓むように湾曲変形するようになる。こうしたパネル部材の膨張による変形は、パネル構造体の強度に影響を与えるとともに、隣接するパネルの側辺が平行でなくなるため外観デザインが悪くなる。
【０００６】
そこで、本発明は、パネル部材の膨張等の変形に対応して外観デザインを良好な状態に保つことができるパネル構造体を提供することを目的とするものである。
【課題を解決するための手段】
【０００７】
本発明に係るパネル構造体は、複数の支柱と、前記支柱の側面に取り付けられるとともに上下方向に所定幅の挿入溝が形成された横枠部材と、前記支柱の間において前記横枠部材の前記挿入溝に両側を挿入して上下方向に配列される複数のパネルと、最も下位の前記パネルの下側に取り付けられるとともに両側を前記横枠部材に固定された下枠部材と、最も上位の前記パネルの上側に取り付けられるとともに両側を前記横枠部材に固定された上枠部材と、前記横枠部材の内側に挿入されて前記パネルの間に取り付けられて前記パネルの間に所定間隔の隙間を形成するスペーサとを備え、前記パネルは、前記横枠部材に左右方向に移動可能に保持されており、前記スペーサは、前記横枠部材に上下方向に移動可能に取り付けられている。さらに、前記スペーサは、直方体状の外形で４つの側辺部からなる枠体と、前記枠体の内側に一体形成された補強部と、前記枠体及び前記補強部の端面に形成された嵌合突起部及び嵌合溝部とを備えている。さらに、前記横枠部材は、前記挿入溝に対向する側部の内側に所定間隔を空けて一対の凸条部が突設されており、前記凸条部の対向する先端の間に所定幅の間隔が形成されている。さらに、前記パネルは、薄板状の本体部分の長手方向に沿う両側端に側板部が形成されている。
【発明の効果】
【０００８】
本発明は、上記のような構成を有することで、パネル部材の膨張等の変形に対応して外観デザインを良好な状態に保つことができる。
【図面の簡単な説明】
【０００９】
【図１】本発明に係る実施形態に関する外観斜視図である。
【図２】パネル構造体に関する分解斜視図である。
【図３】横枠部材に関する上部拡大斜視図である。
【図４】スペーサに関する外観斜視図及び側面図である。
【図５】スペーサに把持部を取り付けた外観斜視図である。
【図６】スペーサを取り付けた部分に関する拡大側面図及びＡ−Ａ断面図である。
【図７】スペーサを積み重ねた状態を示す拡大側面図である。
【図８】下枠部材を取り付けた部分に関する拡大側面図及びＢ−Ｂ断面図である。
【図９】パネル構造体を複数の支柱の間に連設した場合の外観斜視図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態に関する外観斜視図である。パネル構造体１は、図示せぬ基礎に立設した支柱２の側面に固定された横枠部材３の間に複数枚のパネル４を上下方向に配列して構成されている。最も下方に位置するパネル４の下面には下枠部材５が取り付けられており、最も上方に位置するパネル４の上面には上枠部材６が取り付けられている。そして、パネル４の間には、横枠部材３内に挿入されたスペーサ７が設けられており、パネル４の間に平行な隙間が形成されるようになっている。パネル構造体１を構成する部材は、金属材料又は樹脂材料からなり、施工する場所に応じて適宜いずれかの材料を用いて成形すればよい。
【００１２】
図２は、パネル構造体１に関する分解斜視図である。支柱２は、断面矩形状の角柱で構成されており、隣接する支柱２の対向する側面に横枠部材３がネジ３ａにより固定されている。図３は、横枠部材３に関する上部拡大斜視図である。横枠部材３は、断面矩形状の枠本体３０の１つの側部に長手方向に全長にわたって所定幅で切欠いた挿入溝３１が形成されている。そして、挿入溝３１に対向する側部には、ネジ３ａを挿入する取付孔が複数形成されており、その側部から内側に所定間隔を空けて一対の凸条部３２が両側の内面に長手方向に全長にわたって突設されている。一対の凸条部３２は、その先端の間に所定幅の間隔３３が形成されるように設けられているため、横枠部材３を支柱２に固定する場合に、ネジ３ａを挿入溝３１及び間隔３３を通して取付孔に挿入することが可能となり、ドライバ等の工具も挿入溝３１及び間隔３３を通して容易に操作することができる。そのため、横枠部材３の取付作業を迅速的確に行うことが可能となる。
【００１３】
パネル４は、薄板状の本体部分の長手方向に沿う両側端に側板部４０が形成されている。側板部４０は、パネル４の長手方向の全長にわたって本体部分の両側に直角方向に延設されており、側板部４０を設けることでパネル４全体の強度が補強されて変形しにくくなっている。パネル４は、横枠部材３の挿入溝３１に両側端を挿入して取り付けられる。そのため、側板部４０の幅は、挿入溝３１の幅よりもわずかに小さくなるように設定されている。また、長手方向の長さを施工する長さに適宜切断して使用することができるので、組立作業を簡略化することが可能となる。なお、パネル４としては、側板部４０の幅とほぼ同じ厚さの厚板を用いることもできる。
【００１４】
下枠部材５及び上枠部材６は、断面コ字状に形成されており、両側に直角に立設した側部の間の間隔は、横枠部材３の外形幅よりも広く形成されている。下枠部材５は、横枠部材３の下面及び最も下位のパネル４の下側の側板部４０を覆うように嵌め込まれて設けられ、横枠部材３の側部においてネジ５ａにより固定されている。上枠部材６は、横枠部材３の上面及び最も上位のパネル４の上側の側板部４０を覆うように嵌め込まれて設けられ、横枠部材３の側部においてネジ６ａにより固定されている。下枠部材５は、横枠部材３に両端部を固定されることで、挿入溝３１に装着されたパネル４を抜け落ちないように支持するようになっている。また、上枠部材６は、横枠部材３の両端部に固定されることで、パネル４が上方から抜け出ないように保持する。
【００１５】
スペーサ７は、横枠部材３の内部に挿入されてパネル４の間に配置されており、パネル４の間に所定間隔の隙間を形成するようになっている。また、下枠部材５及び上枠部材６とパネル４との間にも配置されて、下枠部材５及び上枠部材６とパネル４との間に隙間を形成するようになっている。図４は、スペーサ７に関する上側から見た外観斜視図（図４（ａ））、下側から見た外観斜視図（図４（ｂ））及び側面図（図４（ｃ））である。スペーサ７は、直方体状の外形で４つの側辺部からなる枠体７０の内側の中央部分に、対向する一対の側辺部と平行に板状の補強部７１が一体形成されている。そして、パネル４に接触する上側の端面には、枠体７０の端面に嵌合突起部７２ａが形成され、補強部７１の端面に嵌合突起部７２ｂが形成されている。また、パネル４に接触する下側の端面には、嵌合突起部７２ａに対向する枠体７０の端面に嵌合溝部７３ａが形成され、嵌合突起部７２ｂに対向する補強部７１の端面に嵌合溝部７３ｂが形成されている。
【００１６】
こうした嵌合突起部及び嵌合溝部を形成することで、パネル４の側板部４０と接触する面積を小さくすることができ、後述するようにパネル４が膨張した場合にもそれに対応してパネル４がスペーサ７に対して容易に移動可能となる。また、スペーサ７を積み重ねた場合に、上側のスペーサ７の下面に形成された嵌合溝部７３ａ及び７３ｂが下側のスペーサ７の嵌合突起部７２ａ及び７２ｂに嵌合するように設定しておけば、積み重ねたスペーサ７がずれることなく一体化することができる。
【００１７】
枠体７０の外形サイズは、縦横の長さが横枠部材３の凸条部３２と挿入溝３１との間の内面の縦横の長さよりもわずかに小さくなるように設定されている。そのため、スペーサ７を横枠部材３の内部に挿入する場合には、図５に示すように、スペーサ７の側面に把持部７４を突設しておき、把持部７４を手で把持した状態で、横枠部材３の上方から把持部７２を挿入溝３１に挿し込んで凸条部３２に沿うように挿入する。把持部７４は、根元部分が薄く形成されており、挿入後に根元部分から切断して除去することができる。こうして、スペーサ７を横枠部材３の内部に簡単に取り付けることが可能となる。
【００１８】
図６は、スペーサ７を取り付けた部分に関する拡大側面図（図６（ａ））及びＡ−Ａ断面図（図６（ｂ））である。スペーサ７は、横枠部材３の内側の凸条部３２及び挿入溝３１の間に嵌め込まれるように挿入されており、その上下にパネル４の側板部４０が当接した状態に設定されている。パネル４は、側板部４０が挿入溝３１に嵌め込まれるように取り付けられているので、長手方向と直交する方向にはがたつかないように設けられている。また、パネル４の長手方向の長さは、長手方向の両端部を保持する横枠部材３の凸条部３２との間の間隔よりもわずかに小さく設定されており、パネル４の長手方向の両端部と凸条部３２との間に隙間が生じて長手方向にわずかに移動するように取り付けられている。
【００１９】
そのため、パネル４が気温の上昇に伴って膨張変形した場合に、長手方向に伸びても凸条部３２に圧接してパネル４が湾曲することを避けることができる。パネル４の側板部４０は、スペーサ７の枠体７０及び補強部７１の上面又は下面に形成した嵌合突起部又は嵌合溝部に当接した状態となっており、接触面積が小さいため容易に移動することができる。また、スペーサ７は、上下方向に筒状に形成されているため、上下方向の圧縮に対して耐久性を備えており、変形しにくくなっている。そして、図７に示すように、スペーサ７を複数個積み重ねて設けることで、パネル４の間の間隔を拡げることもでき、パネル構造体の設計に合わせて容易にパネル４の間の間隔を変更することが可能となる。
【００２０】
図８は、下枠部材５を横枠部材３に固定した部分に関する拡大側面図（図８（ａ））及びＢ−Ｂ断面図（図８（ｂ））である。下枠部材５の端部は横枠部材３の下部を覆うように取り付けられており、横枠部材３の下部の内側にはスペーサ７が挿入されている。そして、下枠部材５を横枠部材３に固定するネジ５ａが下枠部材５の両側から螺入してスペーサ７まで貫通しており、両側のネジ５ａは下枠部材５の長手方向にずれた位置に固定されている。
【００２１】
このように、スペーサ７を挿入することで、下枠部材５とパネル４との間に隙間を形成することができ、また、スペーサ７にネジ５ａを貫通させることで、ネジ５ａをしっかりと固定することが可能となる。そして、ネジ５ａを下枠部材５の長手方向にずらした位置に固定することで、下枠部材５に長手方向と直交する方向に力が加わった場合でも十分な耐久性を備えるようになる。
【００２２】
なお、上枠部材６を横枠部材３に固定した部分においても、下枠部材５の場合と同様にスペーサ７を挿入してネジ６ａにより固定しており、左右の横枠部材３に下枠部材５及び上枠部材６をこのように固定することで、パネル構造体１全体の強度を高めることができる。
【００２３】
そして、各パネル４は横枠部材３、下枠部材５及び上枠部材６に支持及び保持されているものの固定されておらず、パネル４に当接するスペーサ７も横枠部材３内を上下方向に移動可能に取り付けられているため、パネル４が膨張しても湾曲等の変形を避けることができる。そのため、パネル４が左右方向及び上下方向に伸縮したとしても、パネル４の間の隙間が変形することなく当初の直線状態に維持されるようになり、パネル構造体１の外観デザインを良好な状態に維持することが可能となる。
【００２４】
図９は、パネル構造体１を複数の支柱２の間に連設した場合の外観斜視図である。この場合、支柱２の両側面にそれぞれ横枠部材３を取り付けることで、支柱間にパネル４を隙間を空けて配列することができる。この例では、各支柱２の間に３枚のパネル４が上下方向に配列されるとともに左右方向に４枚配列されており、左右方向にパネル４の間のスペーサ７による隙間が直線状に形成される。各パネル４が気温の上昇により膨張変形した場合でも、上述したようにパネル４が湾曲することがないためパネル４の間の直線状の隙間は維持されて外観デザインに影響が及ぶことはない。
【符号の説明】
【００２５】
１・・・パネル構造体、２・・・支柱、３・・・横枠部材、４・・・パネル、５・・・下枠部材、６・・・上枠部材、７・・・スペーサ
【図１】
2013234458.tif 000003
【図２】
2013234458.tif 000004
【図３】
2013234458.tif 000005
【図４】
2013234458.tif 000006
【図５】
2013234458.tif 000007
【図６】
2013234458.tif 000008
【図７】
2013234458.tif 000009
【図８】
2013234458.tif 000010
【図９】
2013234458.tif 000011